(57)【要約】【課題】画像形成装置が文書ファイリングシステム上のファイルを直接印刷する場合において、画像形成装置がファイルの形式に対応していない場合であっても、ファイルの印刷を可能にする。【解決手段】画像形成装置１０の制御回路１１は、直接印刷するファイルが印刷可能なファイルフォーマットである否かを判断し、印刷可能なファイルフォーマットでない場合に、文書ファイリングシステム２０にファイルフォーマットの変換を指示した上で、変換後の文書を取得して印刷する。【選択図】図４
2020142479.tif 000002
【特許請求の範囲】
【請求項１】
文書ファイリングシステムから取得した文書リストをユーザに提示する表示部と、
提示された前記文書リストに含まれる文書が選択された場合に、選択された前記文書が印刷可能なファイルフォーマットであるか否かを判断し、
選択された前記文書が印刷可能なファイルフォーマットでない場合に、前記文書ファイリングシステムへ、ファイルフォーマットの変換指示と、印刷可能なファイルフォーマットのリストと、選択された前記文書を示す情報とを送信してファイルフォーマットの変換及び変換後の文書の送信を指示する
制御部と、
前記文書ファイリングシステムから受信した前記変換後の文書を印刷する画像形成部
を具備する
画像形成装置。
【請求項２】
請求項１に記載の画像形成装置であって、
前記制御部は、
前記画像形成装置のファームウェアから前記ファームウェアがサポートしているファイルフォーマットのリストを取得し、前記文書のファイルフォーマットが、取得した前記ファイルフォーマットのリストに含まれているか否かを判断することによって、選択された前記文書が印刷可能なファイルフォーマットであるか否かを判断する
画像形成装置。
【請求項３】
請求項１又は２に記載の画像形成装置であって、
さらに、前記画像形成装置を含む電子機器の複数の機種と、各機種が対応するファイルフォーマットとを含む、機種別に対応状況を示す情報を記憶する記憶部を具備し、
前記制御部は、
前記機種別に対応状況を示す情報に基づいて、選択された前記文書が印刷可能なファイルフォーマットであるか否かを判断する
画像形成装置。
【請求項４】
文書ファイリングシステムから文書リストを取得し、
取得した前記文書リストをユーザに提示するように、表示部を制御し、
提示された前記文書リストに含まれる文書が選択された場合に、選択された前記文書が印刷可能なファイルフォーマットであるか否かを判断し、
選択された前記文書が印刷可能なファイルフォーマットでない場合に、前記文書ファイリングシステムへ、ファイルフォーマットの変換指示と、印刷可能なファイルフォーマットのリストと、選択された前記文書を示す情報とを送信してファイルフォーマットの変換及び変換後の文書の送信を指示し、
前記文書ファイリングシステムから受信した前記変換後の文書を印刷するように、画像形成部を制御する
画像形成装置の制御方法。
【請求項５】
画像形成装置に、
文書ファイリングシステムから文書リストを取得する処理と、
取得した前記文書リストをユーザに提示するように、表示部を制御する処理と、
提示された前記文書リストに含まれる文書が選択された場合に、選択された前記文書が印刷可能なファイルフォーマットであるか否かを判断する処理と、
選択された前記文書が印刷可能なファイルフォーマットでない場合に、前記文書ファイリングシステムへ、ファイルフォーマットの変換指示と、印刷可能なファイルフォーマットのリストと、選択された前記文書を示す情報とを送信してファイルフォーマットの変換及び変換後の文書の送信を指示する処理と、
前記文書ファイリングシステムから受信した前記変換後の文書を印刷するように、画像形成部を制御する処理
を実行させるためのプログラム。
【発明の詳細な説明】
【技術分野】
【０００１】
本発明は、画像形成装置に関する。本発明は、さらに、この画像形成装置が実行する画像形成装置の制御方法に関する。本発明は、さらに、この画像形成装置に実行させるためのプログラムに関する。
【背景技術】
【０００２】
オフィスで構築されているイントラネットを介して、パーソナルコンピュータやスマートフォン等のクライアント装置と画像形成装置とが接続する画像形成システムが従来知られている。このような画像形成システムにおいて、クライアント装置が、画像形成装置においてサポートされていないＰＤＬ（Page Description Language）データを画像形成装置に送信した場合、印刷エラーになる。特許文献１は、クライアント装置が画像形成装置のサポートするＰＤＬ形式を印刷前に問い合わせることによって、この問題を解決しようとしている。
【先行技術文献】
【特許文献】
【０００３】
【特許文献１】特許３４９２０６９号公報
【発明の概要】
【発明が解決しようとする課題】
【０００４】
しかしながら、特許文献１は、クライアント装置がプリンタドライバを使用することが前提になっている。特許文献１では、画像形成装置が直接、文書ファイリングシステムからファイルを取得し、取得したファイルを直接印刷（ダイレクト印刷）する場合の振る舞いについて言及されていない。
【０００５】
画像形成装置が、文書ファイリングシステムから文書ファイルを取得し、取得した文書ファイルを直接印刷（ダイレクト印刷）する場合、ファイルの形式（以下、「ファイルフォーマット」）が画像形成装置により印刷可能な形式でなければならない。画像形成装置が当該文書ファイルのファイルフォーマットに対応していない場合、ユーザは、文書ファイルをパーソナルデバイスに一度ダウンロードし、パーソナルデバイスから画像形成装置に対して、プリンタドライバを使って印刷させていた。文書ファイルを一度パーソナルデバイスにダウンロードする手間がかかり、ネットワーク資源の浪費でもあった。
【０００６】
本発明は、画像形成装置が文書ファイリングシステム上のファイルを直接印刷する場合において、画像形成装置がファイルの形式に対応していない場合であっても、ファイルの印刷を可能にすることを目的とする。
【課題を解決するための手段】
【０００７】
本発明の一形態に係る画像形成装置は、
文書ファイリングシステムから取得した文書リストをユーザに提示する表示部と、
提示された前記文書リストに含まれる文書が選択された場合に、選択された前記文書が印刷可能なファイルフォーマットであるか否かを判断し、
選択された前記文書が印刷可能なファイルフォーマットでない場合に、前記文書ファイリングシステムへ、ファイルフォーマットの変換指示と、印刷可能なファイルフォーマットのリストと、選択された前記文書を示す情報とを送信してファイルフォーマットの変換及び変換後の文書の送信を指示する
制御部と、
前記文書ファイリングシステムから受信した前記変換後の文書を印刷する画像形成部
を具備する。
【０００８】
（１）本実施形態によれば、画像形成装置は、直接印刷するファイルが印刷可能なファイルフォーマットである否かを判断し、印刷可能なファイルフォーマットでない場合に、文書ファイリングシステムにファイルフォーマットの変換を指示した上で、変換後の文書を取得して印刷する。これにより、画像形成装置が文書ファイリングシステム上のファイルを直接印刷する場合において、画像形成装置がファイルの形式に対応していない場合であっても、ファイルの印刷を可能にすることができる。
【０００９】
上記画像形成装置において、
前記制御部は、
前記画像形成装置のファームウェアから前記ファームウェアがサポートしているファイルフォーマットのリストを取得し、前記文書のファイルフォーマットが、取得した前記ファイルフォーマットのリストに含まれているか否かを判断することによって、選択された前記文書が印刷可能なファイルフォーマットであるか否かを判断してもよい。
【００１０】
（２）本実施形態によれば、画像形成装置は、ファームウェアからサポートしているファイルフォーマットのリストを取得し、文書のファイルフォーマットが当該リストに含まれているか否かを判断する。これにより、画像形成装置のサポートするファイルフォーマットを制御部が取得することができる。
【００１１】
上記画像形成装置において、
さらに、前記画像形成装置を含む電子機器の複数の機種と、各機種が対応するファイルフォーマットとを含む、機種別に対応状況を示す情報を記憶する記憶部を具備し、
前記制御部は、
前記機種別に対応状況を示す情報に基づいて、選択された前記文書が印刷可能なファイルフォーマットであるか否かを判断してもよい。
【００１２】
（３）本実施形態によれば、画像形成装置は、機種別に各種ファイルフォーマットへの対応状況を示す情報を記憶する記憶部を具備する。これにより、ファームウェアがサポートするファイルフォーマットを応答する機能を提供していない場合でも、画像形成装置のサポートするファイルフォーマットを制御部が取得することができる。
【００１３】
上記目的は、以下の実施形態によっても達成することができる。
本発明の一形態に係る画像形成装置の制御方法は、
文書ファイリングシステムから文書リストを取得し、
取得した前記文書リストをユーザに提示するように、表示部を制御し、
提示された前記文書リストに含まれる文書が選択された場合に、選択された前記文書が印刷可能なファイルフォーマットであるか否かを判断し、
選択された前記文書が印刷可能なファイルフォーマットでない場合に、前記文書ファイリングシステムへ、ファイルフォーマットの変換指示と、印刷可能なファイルフォーマットのリストと、選択された前記文書を示す情報とを送信してファイルフォーマットの変換及び変換後の文書の送信を指示し、
前記文書ファイリングシステムから受信した前記変換後の文書を印刷するように、画像形成部を制御する。
【００１４】
本発明の一形態に係るプログラムは、
画像形成装置に、
文書ファイリングシステムから文書リストを取得する処理と、
取得した前記文書リストをユーザに提示するように、表示部を制御する処理と、
提示された前記文書リストに含まれる文書が選択された場合に、選択された前記文書が印刷可能なファイルフォーマットであるか否かを判断する処理と、
選択された前記文書が印刷可能なファイルフォーマットでない場合に、前記文書ファイリングシステムへ、ファイルフォーマットの変換指示と、印刷可能なファイルフォーマットのリストと、選択された前記文書を示す情報とを送信してファイルフォーマットの変換及び変換後の文書の送信を指示する処理と、
前記文書ファイリングシステムから受信した前記変換後の文書を印刷するように、画像形成部を制御する処理
を実行させるためのプログラムである。
【発明の効果】
【００１５】
本発明によれば、画像形成装置が文書ファイリングシステム上のファイルを直接印刷する場合において、画像形成装置がファイルの形式に対応していない場合であっても、ファイルの印刷を可能にすることができる。
【００１６】
なお、ここに記載された効果は必ずしも限定されるものではなく、本発明中に記載されたいずれかの効果であってもよい。
【図面の簡単な説明】
【００１７】
【図１】本発明の一実施形態に係る画像形成システムを示す。
【図２】画像形成装置のハードウェア構成を示す。
【図３】文書ファイリングシステムのハードウェア構成を示す。
【図４】画像形成装置の動作フローを示す。
【図５】文書ファイリングシステムの動作フローを示す。
【図６】文書リストの一例を示す。
【図７】印刷可能なファイルフォーマットのリストを示す。
【図８】機種別にファイルフォーマットの対応状況を示す情報を示す。
【発明を実施するための形態】
【００１８】
以下、図面を参照しながら、本発明の実施形態を説明する。
【００１９】
１．画像形成システム
【００２０】
図１は、本発明の一実施形態に係る画像形成システムを示す。
【００２１】
画像形成システム１は、画像形成装置１０と、文書ファイリングシステム２０を有する。画像形成装置１０は、例えば、ＭＦＰ（Multifunction Peripheral）である。画像形成装置１０と文書ファイリングシステム２０は、ネットワークＮを介して相互に通信できるように接続されている。
【００２２】
本実施形態では、画像形成装置１０が、文書ファイリングシステム２０の有するファイルを、ユーザのパーソナルコンピュータ等、その他の電子機器を介さず直接印刷（ダイレクト印刷）する。
【００２３】
２．画像形成装置のハードウェア構成
【００２４】
図２は、画像形成装置のハードウェア構成を示す。
【００２５】
画像形成装置１０は、制御回路１１を備える。制御回路１１は、プロセッサーであるＣＰＵ１１ａ（Central Processing Unit）、ＲＡＭ１１ｂ（Random Access Memory）、メモリーであるＲＯＭ１１ｃ（Read Only Memory）及び専用のハードウェア回路等から構成され、電子機器１０の全体的な動作制御を司る。ＣＰＵ１１ａは、ＲＯＭ１１ｃが記憶する情報処理プログラムをＲＡＭ１１ｂにロードして実行する。ＲＯＭ１１ｃは、ＣＰＵ１１ａが実行するプログラムやデータなどを固定的に記憶する。ＲＯＭ１１ｃは、非一過性のコンピューター読み取り可能な記録媒体の一例である。
【００２６】
制御回路１１は、画像読取部１２（イメージスキャナー）、画像処理部１４（ＧＰＵ（Graphics Processing Unit）を含む）、画像メモリー１５、画像形成部１６（プリンター）、表示部１７ａを備える操作部１７（タッチパネル）、ＨＤＤ（Hard Disk Drive）やＳＳＤ（Solid State Drive）等の大容量の不揮発性の記憶装置１８、ファクシミリ通信部１９及びネットワーク通信インターフェース１３等と接続されている。制御回路１１は、接続されている上記各部の動作制御や、各部との間での信号又はデータの送受信を行う。操作部１７（タッチパネル）は、入力装置の一形態であり、入力装置として、マイクロフォンを含む音声入力装置が設けられてもよい。
【００２７】
画像形成装置１０の制御回路１１において、ＣＰＵ１１ａは、ＲＯＭ１１ｃが記憶する情報処理プログラムをＲＡＭ１１ｂにロードして実行する。当該情報処理プログラムとしては、画像形成装置１０の基本的な制御や入出力を担うファームウェアと、ユーザインターフェースや上記ダイレクト印刷の提供をになうアプリケーションがある。
【００２８】
３．文書ファイリングシステムのハードウェア構成
【００２９】
図３は、文書ファイリングシステムのハードウェア構成を示す。
【００３０】
文書ファイリングシステム２０は、ＣＰＵ２１、ＲＯＭ２２、ＲＡＭ２３、ＨＤＤやＳＳＤ等の大容量の不揮発性の記憶装置２４、ネットワーク通信インターフェース２５、操作装置２６及び表示装置２７と、これらを相互に接続するバス２８とを有する。
【００３１】
ＣＰＵ２１、ＲＯＭ２２、及びＲＡＭ２３は、制御回路２００を構成する。ＣＰＵ２１は、ＲＯＭ２２が記憶する情報処理プログラムをＲＡＭ２３にロードして実行する。ＲＯＭ２２は、ＣＰＵ２１が実行するプログラムやデータなどを固定的に記憶する。ＲＯＭ２２は、非一過性のコンピューター読み取り可能な記録媒体の一例である。
【００３２】
本実施形態の文書ファイリングシステム２０は、上述のように、ファイルサーバとして構成されているが、複数のサーバ群を含むコンピュータシステムとして構成されてもよい。また、この場合、各サーバが、ストレージサーバ、文書変換サーバ、認証サーバなど、機能ごとに役割が分担されたコンピュータシステムとして構成されてもよい。
【００３３】
４．画像形成装置の動作フロー
【００３４】
図４は、画像形成装置の動作フローを示す。
【００３５】
制御回路１１は、操作部１７を介してユーザのログイン操作を受け付けると、当該ログイン操作の内容に基づいて、文書ファイリングシステム２０へのユーザのログインを行い、当該ユーザに割り当てられた記憶領域にある文書リスト（図６参照）の送信を要求する（ステップＳ１０１）。なお、ネットワークＮにユーザ認証サーバ（不図示）がある場合、制御回路１１は、当該ユーザ認証サーバに対してログイン処理をしてもよい。
【００３６】
その後、制御回路１１は、文書ファイリングシステム２０から文書リストを受信し、受信した文書リストを表示部１７ａに表示させるように制御する。表示部１７ａは、文書リストを表示し、ユーザに提示する（ステップＳ１０２）。
【００３７】
続いて制御回路１１は、操作部１７を介して、提示された文書リストに対するユーザの操作入力を受け付けて、当該操作入力に基づいて、ユーザによる文書ファイルの選択を受け付ける（ステップＳ１０３）。
【００３８】
続いて制御回路１１は、自装置（画像形成装置１０）がサポートするファイルフォーマットを取得する（ステップＳ１０４）。ダイレクト印刷においては、画像形成装置１０がどのファイルフォーマットをサポートしているかによって利便性の幅が変わってくる。サポートするファイルフォーマットの数は多いほうがよいが、ライセンス費用の面から通常は限定的なサポートとなっている。画像形成装置１０のサポートするファイルフォーマットを制御回路１１が取得する方法は種々の方法があるが、本実施形態では次の方法で取得する。
【００３９】
ファームウェアの種類によっては、サポートするファイルフォーマット（Capability）を応答するＡＰＩ（Application Program Interface）を有するものがあるので、アプリケーションからこのようなＡＰＩを利用してもよい。この場合、制御回路１１は、画像形成装置１０のファームウェアから、当該ファームウェアがサポートしているファイルフォーマットのリストを取得する（ステップＳ１０４）。次に、ステップＳ１０３で選択された文書ファイルのファイルフォーマットが、取得したファイルフォーマットのリストに含まれているか否かを判断することによって、選択された文書ファイルが印刷可能なファイルフォーマットであるか否かを判断する（ステップＳ１０５）。
【００４０】
そのほかにも例えば、記憶装置１８が、この画像形成装置１０を含む電子機器の複数の機種と、各機種が対応するファイルフォーマットとを含む、機種別に対応状況を示す情報、例えばＭＦＰのモデルごとにサポート状況を示すテーブル等（図８参照）を記憶している場合がある。この場合は、制御回路１１が、当該機種別に対応状況を示す情報に基づいて、この画像形成装置１０の機種に基づいて、ステップＳ１０３で選択された文書ファイルが印刷可能なファイルフォーマットであるか否かを判断してもよい。
【００４１】
アプリケーションによっては、当該アプリケーションのインストール可能なＭＦＰの機種ごとに、機種固有情報を持っている場合がある。この場合、その機種固有情報にはその機種がサポートしているファイルフォーマットを含んでいる。アプリケーションは、インストールされているモデル名に基づいて当該機種固有情報を検索する。これにより、アプリケーションはサポートしているファイルフォーマットを取得する。
【００４２】
この方法によれば、ファームウェアがサポートするファイルフォーマットを応答する機能を提供していない場合でも、画像形成装置１０のサポートするファイルフォーマットを制御回路１１が取得することができる。この方法は、そのような機能を提供しない相対的に古い機種で有効である。なお、この方法は、上記ファームウェアに問い合わせる方法と併用できる。
【００４３】
ステップＳ１０３で選択された文書ファイルが印刷可能なファイルフォーマットである場合（ステップＳ１０６：印刷可能）、制御回路１１は、文書ファイリングシステム２０へ、選択された文書ファイルの送信を指示するコマンドを送信する（ステップＳ１０７）。
【００４４】
ステップＳ１０３で選択された文書ファイルが印刷可能なファイルフォーマットでない場合（ステップＳ１０６：印刷可能でない）、制御回路１１は、選択された文書ファイルのファイルフォーマットの変換と、変換後の文書ファイルの送信を、文書ファイリングシステム２０へ指示する（ステップＳ１０８）。
【００４５】
この指示を示す情報には、選択された文書ファイルを示す情報（ＵＲＬ等）と、印刷可能なファイルフォーマットのリスト（図７参照）と、ファイルフォーマットの変換の指示を示す情報と、変換後の文書ファイルの送信の指示を示す情報が含まれる。
【００４６】
その後、制御回路１１は、ネットワーク通信インターフェース１３などを経由して受信した文書ファイルを、画像形成部１６に印刷させる制御を行う（ステップＳ１０９）。なお、ここで受信し印刷する文書ファイルは、ステップＳ１０３で選択された文書ファイルが印刷可能なファイルフォーマットであると判断された場合（ステップＳ１０６：印刷可能）は、ファイルフォーマットが変換されておらず、印刷可能なファイルフォーマットでないと判断された場合（ステップＳ１０６：印刷可能でない）は、ファイルフォーマットが変換されている。
【００４７】
５．文書ファイリングシステムの動作フロー
【００４８】
図５は、文書ファイリングシステムの動作フローを示す。
【００４９】
制御回路２００は、画像形成装置１０経由でユーザがログイン操作をした情報とともに認証情報を受信し、ユーザの文書ファイリングシステム２０へのログイン処理を制御する（ステップＳ２０１）。以下、ログインが問題なく成功したものとする。
【００５０】
続いて、制御回路２００は、画像形成装置１０から文書リスト（図６参照）の送信要求を受信するまで待つ（ステップＳ２０２）。ディレクトリを指定した文書リストの送信要求を受信した場合、制御回路２００は、当該ディレクトリに対応する文書リストを送信する（ステップＳ２０３）。
【００５１】
ただし、制御回路２００は、ユーザがログインに成功すると自動的にユーザのホームディレクトリにある文書ファイルの文書リストを送信するように構成されてもよい。また、文書リストの送信要求の受信、及び、その送信のプロセスは、複数回繰り返されてもよい。
【００５２】
続いて、画像形成装置１０から、ステップＳ２０３で送信した文書リスト中の一つの文書ファイルを指定した送信指示を受信すると（ステップＳ２０４）、制御回路２００は、当該送信指示の中に、ファイルフォーマットの変換指示があるか否かを判断する（ステップＳ２０５）。
【００５３】
この文書ファイルの送信指示に、ファイルフォーマットの変換の指示が含まれず、単純に文書ファイルを送信することが指示されている場合は（ステップＳ２０５：なし）、制御回路２００は、指定された文書ファイルを送信する（ステップＳ２０７）。
【００５４】
他方で、文書ファイルの送信指示に、ファイルフォーマットの変換の指示が含まれている場合は（ステップＳ２０５：あり）、制御回路２００は、文書ファイルの送信指示に含まれる印刷可能なファイルフォーマットのリスト（図７参照）の中から１つ以上のファイルフォーマットを選択し、選択したファイルフォーマットに、指定された文書ファイルのファイルフォーマットを変換する（ステップＳ２０６）。
【００５５】
ファイルフォーマットを変換した場合も、制御回路２００は、指定された文書ファイルであって変換後の文書ファイルを画像形成装置１０に送信する（ステップＳ２０７）。
【００５６】
６．文書リスト
【００５７】
図６は、文書リストの一例を示す。
【００５８】
ファイルアイコン６１は、文書ファイルのファイルフォーマットを直感的に理解可能にした画像である。ファイル名６２は、文書ファイルにつけられたファイル名を、ファイルフォーマットを示す拡張子とともに示す。更新日時６３は、文書ファイルの最終更新日時を示す。
【００５９】
図６において、「企画書Ａドラフト．ｄｏｃ」は、例えば、マイクロソフト（登録商標）社のワード（商標）ドキュメント・ファイルの１例である。「企画書Ｂ最終版．ｐｄｆ」と「企画書Ｃ最終版．ｐｄｆ」は、アドビシステムズ（登録商標）が提唱するファイルフォーマット、Portable Document Format 形式のファイルの例を示している。
【００６０】
文書ファイリングシステム２０は、図７に示すような文書リストを画像形成装置１０に送信する。
【００６１】
７．印刷可能なファイルフォーマットのリスト
【００６２】
図７は、印刷可能なファイルフォーマットのリストの一例を示す。
【００６３】
ファイルアイコン７１は、ファイルフォーマットを直感的に理解可能にした画像である。ファイルフォーマット７２は、当該ファイルフォーマットの名前等である。拡張子７３は、当該ファイルフォーマットのファイル名の最後に付される。
【００６４】
図７においては、拡張子「.doc」を持つ「文書ファイルフォーマット」と拡張子「.pdf」を持つ「電子ペーパーのファイルフォーマット」が、印刷可能なファイルフォーマットとしてリストアップされている。
【００６５】
画像形成装置１０は、図７に示すような印刷可能なファイルフォーマットのリストを文書ファイリングシステム２０に送信する。
【００６６】
８．機種別にファイルフォーマットの対応状況を示す情報
【００６７】
図８は、機種別にファイルフォーマットの対応状況を示す情報を示す。
【００６８】
機種８１は、画像形成装置１０を含む各ＭＦＰの機種を示す。ファイルフォーマットの拡張子８２は、各機種が印刷可能なファイルフォーマットを特定するための情報（ここでは拡張子を採用した）である。
【００６９】
図８において、「モデルＡ」は「doc, pdf, tiff, jpg」に対応している。「モデルＢ」は「pdf, tiff, jpg」に対応している。
【００７０】
制御回路１１は、アプリケーションのライブラリの中から図８に示すような「機種別にファイルフォーマットの対応状況を示す情報」を取得し、選択された文書ファイルを印刷することができるか否かの判断に使う。また、文書ファイリングシステム２０へ送信する印刷可能なファイルフォーマットのリストを、図８に示すような「機種別にファイルフォーマットの対応状況を示す情報」から生成してもよい。
【００７１】
９．変形例
【００７２】
本実施形態では、画像形成装置１０が、文書ファイルのファイルフォーマットの変換を、文書ファイリングシステム２０に指示する際、画像形成装置１０が複数のファイルフォーマットに対応している場合、いずれのファイルフォーマットを選択するかについて、特に限定はしていない。
【００７３】
しかしながら、各ファイルフォーマットには印刷後の画質を左右する差異がある場合があり、画質がユーザの予想よりも悪くなってしまう可能性もある。そこで、画像形成装置１０の制御回路１１は、印刷可能なファイルフォーマットのリストを文書ファイリングシステム２０に送信する際に、ファイルフォーマットに変換の優先順位を付けるものとする。例えば、図７に示すリストにおいて上位であればあるほど、優先順位の高いファイルフォーマットとする。本変形例によれば、文書ファイリングシステム２０が複数のファイルフォーマットのうちいずれに変換すればよいか不明にならず、品質の高い印刷出力が得られる可能性が高まる。
【００７４】
本実施形態で開示した構成は、いずれも組み合わせて実施することができる。
【００７５】
６．結語
【００７６】
（１）本実施形態によれば、画像形成装置は、直接印刷するファイルが印刷可能なファイルフォーマットである否かを判断し、印刷可能なファイルフォーマットでない場合に、文書ファイリングシステムにファイルフォーマットの変換を指示した上で、変換後の文書を取得して印刷する。これにより、画像形成装置が文書ファイリングシステム上のファイルを直接印刷する場合において、画像形成装置がファイルの形式に対応していない場合であっても、ファイルの印刷を可能にすることができる。
【００７７】
（２）本実施形態によれば、画像形成装置は、ファームウェアからサポートしているファイルフォーマットのリストを取得し、文書のファイルフォーマットが当該リストに含まれているか否かを判断する。これにより、画像形成装置のサポートするファイルフォーマットを制御部が取得することができる。
【００７８】
（３）本実施形態によれば、画像形成装置は、機種別に各種ファイルフォーマットへの対応状況を示す情報を記憶する記憶部を具備する。これにより、ファームウェアがサポートするファイルフォーマットを応答する機能を提供していない場合でも、画像形成装置のサポートするファイルフォーマットを制御部が取得することができる。
【００７９】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００８０】
１…画像形成システム
１０…画像形成装置
２０…文書ファイリングシステム
１１…制御回路
１７…操作部
１７ａ…表示部
１６…画像形成部
２００…制御回路
【図１】
2020142479.tif 000003
【図２】
2020142479.tif 000004
【図３】
2020142479.tif 000005
【図４】
2020142479.tif 000006
【図５】
2020142479.tif 000007
【図６】
2020142479.tif 000008
【図７】
2020142479.tif 000009
【図８】
2020142479.tif 000010